(57)【要約】被制御機器内に複数の制御対象（機能単位）がある場合、被制御装置内の何れの機能単位が制御対象かを指定する情報なしの制御コマンドを受信する場合に、使用者の意図した制御対象を選択するために、被制御装置１０３は、制御対象の機能単位を使用者に選択させる選択手段１０９を備え、被制御装置１０３は選択手段１０９を用いて制御対象とする機能単位を使用者に選択させ、被制御装置内の何れの機能単位が制御対象かを指定する情報なしの制御コマンドを受信する場合に、選択された機能単位を被制御装置１０３における制御対象とする。
2002035881.tif 000002
【特許請求の範囲】
【請求項１】
複数の機能単位を内蔵し、ネットワークのディジタルインターフェイスを介して制御装置に接続して使用される被制御装置であって、
制御対象の機能単位を前記制御装置からの指示で選択して選択内容を記憶するとともに前記制御装置から制御対象を指定する情報なしの制御コマンドを受信したことを検出して前記記憶された機能単位を制御対象とする選択手段を設けた被制御装置。
【請求項２】
選択手段を、制御対象としての機能単位が未定である状態において制御対象の機能単位を前記制御装置からの指示で選択して選択内容を記憶するよう構成した
請求項１記載の被制御装置。
【請求項３】
選択手段を、制御対象としての機能単位が未定である状態において何れの機能単位が制御対象かを指定する情報なしの制御コマンドを受信したことを検出して、初期値として記憶している機能単位を制御対象とする
請求項１記載の被制御装置。
【請求項４】
複数の機能単位を内蔵した被制御装置にネットワークのディジタルインターフェイスを介して接続して使用される制御装置であって、
制御対象とする機能単位を使用者に選択させ、選択結果を前記被制御装置に記憶させ、前記被制御装置の何れの機能単位が制御対象かを指定する情報なしの制御コマンドを送信する選択手段を設けた制御装置。
【請求項５】
複数の機能単位を内蔵し、ネットワークのディジタルインターフェイスを介して請求項４に記載の制御装置に接続して使用される被制御装置であって、
前記制御装置が送信する制御対象とする機能単位選択結果を記憶し、何れの機能単位が制御対象かを指定する情報なしの制御コマンドを受信したことを検出して前記選択された機能単位を制御対象とする分配手段を設けた
被制御装置。
【請求項６】
複数の機能単位を内蔵し、ネットワークのディジタルインターフェイスを介して制御装置に接続して使用される被制御装置であって、
制御対象の機能単位を選択して選択内容を記憶して選択された機能単位の出力信号を出力する切替手段と、
前記制御装置からの指示を前記複数の機能単位に振り分けるとともに何れの機能単位が制御対象かを指定する情報なしの制御コマンドを受信したことを検出して前記切替手段が出力を行っている機能単位に受信したコマンドを作用させる分配手段と
を設けた被制御装置。
【請求項７】
ディジタルインターフェイスはＩＥＥＥ１３９４またはブルートゥースである
請求項１〜請求項３，請求項５，請求項６の何れかに記載の被制御装置。
【請求項８】
ディジタルインターフェイスはＩＥＥＥ１３９４またはブルートゥースである
請求項４記載の制御装置。
【請求項９】
何れの機能単位が制御対象かを指定する情報なしの制御コマンドがパススルー（ＰＡＳＳ　ＴＨＲＯＵＧＨ）コマンドである
請求項１，請求項３，請求項５，請求項６の何れかに記載の被制御装置。
【請求項１０】
何れの機能単位が制御対象かを指定する情報なしの制御コマンドがパススルーコマンドである
請求項４記載の制御装置。
【請求項１１】
複数の機能単位を内蔵し、ネットワークのディジタルインターフェイスを介して制御装置に接続して使用される被制御装置の制御方法であって、
制御対象の機能単位を前記制御装置からの指示で選択して選択内容を記憶するとともに前記制御装置から制御対象を指定する情報なしの制御コマンドを受信したことを検出して前記記憶された機能単位を制御対象とする
被制御装置の制御方法。
【請求項１２】
制御対象としての機能単位が未定である状態において制御対象の機能単位を前記制御装置からの指示で選択して選択内容を選択手段に記憶する
請求項１１記載の被制御装置の制御方法。
【請求項１３】
制御対象としての機能単位が未定である状態において何れの機能単位が制御対象かを指定する情報なしの制御コマンドを受信したことを検出して、初期値として記憶している機能単位を制御対象とする
請求項１１記載の被制御装置の制御方法。
【請求項１４】
複数の機能単位を内蔵した被制御装置にネットワークのディジタルインターフェイスを介して接続して使用される制御装置の制御方法であって、
制御対象とする機能単位を使用者に選択させ、選択結果を前記被制御装置に記憶させ、前記被制御装置の何れの機能単位が制御対象かを指定する情報なしの制御コマンドを送信する
制御装置の制御方法。
【請求項１５】
複数の機能単位を内蔵し、ネットワークのディジタルインターフェイスを介して請求項１４に記載の制御方法の制御装置に接続して使用される被制御装置の制御方法であって、
前記制御装置が送信する制御対象とする機能単位選択結果を記憶し、何れの機能単位が制御対象かを指定する情報なしの制御コマンドを受信したことを検出して前記選択された機能単位を制御対象とする
被制御装置の制御方法。
【請求項１６】
複数の機能単位を内蔵し、ネットワークのディジタルインターフェイスを介して制御装置に接続して使用される被制御装置の制御方法であって、
制御対象の機能単位を選択して選択内容を記憶して選択された機能単位の出力信号を切替手段が出力し、
前記制御装置からの指示を前記複数の機能単位に振り分けるとともに何れの機能単位が制御対象かを指定する情報なしの制御コマンドを受信したことを検出して前記切替手段が出力を行っている機能単位に受信したコマンドを作用させる
被制御装置の制御方法。
【請求項１７】
ディジタルインターフェイスはＩＥＥＥ１３９４またはブルートゥースである
請求項１１〜請求項１３，請求項１５，請求項１６の何れかに記載の被制御装置の制御方法。
【請求項１８】
ディジタルインターフェイスはＩＥＥＥ１３９４またはブルートゥースである
請求項１４記載の制御装置の制御方法。
【請求項１９】
何れの機能単位が制御対象かを指定する情報なしの制御コマンドがパススルーコマンドである
請求項１１，請求項１３，請求項１５，請求項１６の何れかに記載の被制御装置の制御方法。
【請求項２０】
何れの機能単位が制御対象かを指定する情報なしの制御コマンドがパススルーコマンドである
請求項１４記載の制御装置の制御方法。
【発明の詳細な説明】
技術分野
本発明は、制御情報をディジタルインターフェースを介して送受信する制御装置ならびに被制御装置およびその制御方法に関する。
背景技術
近年、シリアル伝送方式としてＩＥＥＥ（Ｔｈｅ　Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ，Ｉｎｃ．）１３９４方式が注目されている。ＩＥＥＥ１３９４方式は、従来のＳＣＳＩ（ｓｍａｌｌ　ｃｏｍｐｕｔｅｒ　ｓｙｓｔｅｍ　ｉｎｔｅｒｆａｃｅ）方式等によるコンピュータデータの伝送に代わって用いることができるだけではなく、音声や映像などのＡＶデータの伝送にも用いることができる。これはＩＥＥＥ１３９４方式では、アイソクロナス（等時性　ｉｓｏｃｈｒｏｎｏｕｓ）通信と、アシンクロナス（非同期）通信との２つの通信方法が定義されているからである。
アシンクロナス通信は、機器制御情報の伝送やコンピュータのデータファイル伝送のような、実時間性が要求されないデータの伝送に用いられる伝送方法である。
一方、アイソクロナス通信は、ＡＶデータのような実時間性が要求されるデータの伝送に用いることができるデータ伝送方法である。アイソクロナス通信では、伝送の開始に先立って、データを伝送するのに必要な帯域を取得する。そして、その帯域を使ってデータの伝送を行う。これにより、データ伝送の実時間性が保証される。
ＩＥＥＥ１３９４上の伝送プロトコルとして、種々の方法が提案されているが、そのうちの一つとして、ＡＶプロトコルと呼ばれるものがある。ＡＶプロトコルは、ＩＥＣ（Ｉｎｔｅｒｎａｔｉｏｎａｌ　Ｅｌｅｃｔｒｏｔｅｃｈｎｉｃａｌ　Ｃｏｍｍｉｓｓｉｏｎ）６１８８３として規格化されており、機器に与える命令をアシンクロナス通信で送受信する方法、実時間性が必要となるＡＶデータをアイソクロナス通信で送受信する方法、等が規定されている。
アシンクロナス通信で機器に与える命令を送受信する方法として、ＩＥＣ６１８８３で定められたファンクションコントロールプロトコル（Ｆｕｎｃｔｉｏｎ　Ｃｏｎｔｒｏｌ　Ｐｒｏｔｏｃｏｌ、以下ＦＣＰと称す）がある。さらに、ＦＣＰを使って各種の機器を制御するための共通の制御方法や個別機器の制御方法が１３９４トレード・アソシエーション（以下、１３９４ＴＡと称す）で定められている。
たとえば、共通の制御方法では、ＡＶ／Ｃ　Ｄｉｇｉｔａｌ　Ｉｎｔｅｒｆａｃｅ　Ｃｏｍｍ　ａｎｄ　Ｓｅｔ　Ｇｅｎｅｒａｌ　Ｓｐｅｃｉｆｉｃａｔｉｏｎ　Ｒｅｖ３．０（以下ＡＶ／Ｃジェネラルと称す）が定義されている。個別の制御方法としては機器ごとに規格化が行われているが、そのひとつとして、ＡＶ／Ｃ　Ｐａｎｅｌ　ｓｕｂｕｎｉｔで定義されたＰＡＳＳ　ＴＨＲＯＵＧＨコマンド（以下、パススルーと称す）が提案されている。これらの仕様については１３９４ＴＡのホームページ（ｈｔｔｐ：／／１３９４ｔａ．ｏｒｇ／）でも公開されている。
パススルーモードについて、もう少し説明する。
ＡＶプロトコルでは一つの筐体をユニット、筐体の中の個々の機能単位をサブユニットと呼ぶ。たとえば、一つの筐体にＣＤプレーヤが１台だけ実装されていれば、ディスクサブユニットを一つだけ持つ。ＣＤプレーヤとＦＭチューナを実装していれば、ディスクサブユニットとチューナサブユニットを持つことになる。これらのサブユニットはＡＶ／Ｃジェネラルでｓｕｂｕｎｉｔ＿ｔｙｐｅのコードと共に定義されている。
パネルサブユニットは機器の操作パネルのような操作環境で、外部制御装置から被制御装置を制御するためのサブユニットである。また、パススルーモードでは、パススルーコマンドを定義し、ユーザの操作を制御装置から被制御装置に透過的に渡す。すなわち赤外線リモコンのような操作環境を提供する。
以下、図面を用いて前記パススルーによる機器の制御情報送受信方法について説明する。ＩＥＥＥ１３９４バス上のパケット伝送タイミング、パススルーによる機器制御（機器構成、伝送パケット構成、パススルーによる機器制御手順）の順序で説明する。
図６はＩＥＥＥ１３９４バス上のパケット伝送タイミングを示す。
図６でＣＳはサイクルスタートパケット、ＩＳＯはアイソクロナス通信に用いるアイソクロナスパケット、ＡＳｙはアシンクロナス通信に用いるアシンクロナスパケットである。
まず、アイソクロナスパケットをアイソクロナスサイクル（１２５［μｓ］）内に伝送するためのパケットタイミングについて説明する。
アイソクロナス伝送に先だって１３９４バスに接続されたアイソクロナスバスマネージャと呼ばれるノードは、アイソクロナス伝送を希望するノードに伝送のための帯域幅を割り振る。アイソクロナス伝送に使用可能な帯域幅は１アイソクロナスサイクル（１２５μｓ）あたり１００μｓである。
伝送帯域の割り振りが完了すると、データの伝送が開始される。ＩＥＥＥ１３９４では、バスに接続されているノードの内サイクルマスタノードが、アイソクロナスサイクルごとにサイクルスタートパケット（ＣＳ）を発行する。サイクルスタートパケットに続いて、アイソクロナスパケット（ＩＳＯ）を送信しようとするノードは送信要求動作を開始し、バス獲得後、アイソクロナスパケットを送信する。各アイソクロナスパケット送信後、アイソクロナスギャップと呼ばれる空白時間が経過すると、別のノードがアイソクロナスパケット送信のために送信要求動作を開始し、バス獲得後、パケット伝送を行う。すべてのアイソクロナスパケットが伝送されると、サブアクションギャップと呼ばれる空白時間をおいて、アシンクロナスパケット（Ａｓｙ）を送信しようとするノードがアシンクロナス送信要求動作を開始し、バス獲得後、アシンクロナスパケットの送信を行う。サブアクションギャップはアイソクロナスギャップよりも長く設定されているので、アイソクロナスパケットが優先的に処理され、これによって、イソクロナスパケットの一定の転送レートが保障される。
次に、アシンクロナスパケット（Ａｓｙ）の伝送について説明する。
アシンクロナスパケットを送出するノードは、フェアネスインターバルと呼ばれる期間に１回だけパケットを送出でき、このしくみによって、各ノードが公平にアシンクロナス伝送をすることができる。すなわち、各ノードにはａｒｂ＿ｅｎａｂｌｅというレジスタがあり、アービットレーションリセットギャップと呼ばれる、サブアクションギャップより長い空白時間によりこのレジスタがセットされる。ａｒｂ＿ｅｎａｂｌｅがセットされているノードはアシンクロナス送信要求を行うことができ、アシンクロナス送信が完了すると、ａｒｂ＿ｅｎａｂｌｅはクリアされる。こうして、ａｒｂ＿ｅｎａｂｌｅがセットされているノードが次々とアシンクロナス送信を行っていく。アシンクロナス通信を行いたいすべてのノードがアシンクロナス通信を完了すると、アービットレーションギャップを経過してもバスの獲得がおこらず、アービットレーションリセットギャップが発生し、次のフェアネスインターバルになる。新たなフェアネスインターバルでは、全てのノードのａｒｂ＿ｅｎａｂｌｅがセットされて、再び各ノードが順にアシンクロナス伝送を開始する。それぞれのフェアネスインターバルの間にアシンクロナス伝送を要求するノード数は一定ではなく、また、伝送するデータ量も異なるため、一般的にそれぞれのフェアネスインターバルの時間は異なる。
次に、パススルーによる機器制御について説明する。
図７はパススルーによる機器制御を行う場合の構成の一例を示す。具体的には、テレビジョン受像機とこれにネットワークを介して接続されたＤＶＤ（Ｄｉｇｉｔａｌ　Ｖｅｒｓａｔｉｌｅ　Ｄｉｓｃ）再生装置を挙げることができ、この場合、テレビジョン受像機が制御装置、ＤＶＤ再生装置が被制御装置であって、テレビジョン受像機に付属しているリモートコントロール子機がユーザーインターフェースに相当する。
１１０１はユーザインターフェイスで、たとえば機器のコントロールパネルやリモコンなどである。１１０２は制御装置、１１０３は被制御装置、１１０４は制御装置１１０２と被制御装置１１０３を接続するＩＥＥＥ１３９４バス、１１０５は被制御装置１１０３からの映像信号を制御装置１１０２に伝える映像信号線である。
制御装置１１０２は、ユーザインターフェイス１１０１からの信号に応じてＩＥＥＥ１３９４バス１１０４に制御情報を流す制御情報送出手段１１０６と、被制御装置１１０３からの映像信号を表示する表示手段１１０７で構成される。
被制御装置１１０３は、ＩＥＥＥ１３９４バス１１０４からの制御情報を入力する制御情報入力手段１１０８と、制御情報入力手段１１０８からの制御に応じてメディアを再生するメディア再生手段１１０９と、メディア再生手段１１０９からの再生信号に制御情報入力手段からの制御情報に応じた表示を重畳する表示情報発生手段１１１０とから構成される。
メディア情報再生手段１１０９としては、たとえばＤＶＤドライブが挙げられる。ＤＶＤからはディスクに記録された映像信号と、ナビゲーション用のサブピクチャ情報が再生されるが、サブピクチャ情報は制御情報入力手段１１０８からの制御情報に応じて特定の情報が選択表示されたり、ハイライト表示されたりする。これについては後で詳しく述べる。
次に機器制御情報を伝送するパケット構成を説明する。
図８（ａ）は制御情報送出手段１１０６が発行する制御情報のパケット構成を示す。
パケットはアシンクロナスパケットヘッダとＦＣＰデータ、データＣＲＣから構成される。アシンクロナスパケットヘッダはＩＥＥＥ１３９４−１９９５規格で規定されている。アシンクロナスパケットヘッダは、全部で２０バイトで、送り先ノードＩＤ（ｄｅｓｔｉｎａｔｉｏｎ＿ＩＤ）、送り先アドレスオフセット（ｄｅｓｔｉｎａｔｉｏｎ＿ｏｆｆｓｅｔ）、送り出しノードＩＤ（ｓｏｕｒｃｅ＿ＩＤ）、データ長（ｄａｔａ＿ｌｅｎｇｔｈ）、ヘッダＣＲＣなどが含まれる。
送り先ノードＩＤは、１３９４バスに接続される機器のノードＩＤを指定する。送り先アドレスオフセットは、データを書き込むアドレスを指定する。ＦＣＰデータを送信する場合、送り先アドレスオフセットは、ＦＣＰコマンドレジスタ（０ｘＦＦＦＦ　Ｆ０００　０Ｂ００）である。
ＦＣＰデータのＣＴＳ（Ｃｏｍｍａｎｄ／Ｔｒａｎｓａｃｔｉｏｎ　Ｓｅｔ）フィールドは、これ以下に続くコマンドの種別を示すコードである。ＡＶ／Ｃジェネラルで定義されているＡＶ／ＣコマンドのＣＴＳは０ｈである。ｃｔｙｐｅフィールドは制御コマンド、状態取得コマンドなどのコマンドタイプを示す。ｓｕｂｕｎｉｔ　ｔｙｐｅフィールドは、コマンドの宛先となるサブユニットの種類を示す。ｓｕｂｕｎｉｔ　ＩＤフィールドは筐体内の同じ種類のサブユニットを識別するための識別子である。ｓｕｂｕｎｉｔ　ｔｙｐｅフィールドとｓｕｂｕｎｉｔ　ＩＤフィールドによって、コマンドの宛先となるサブユニットが指定される。パススルーコマンドを使用する場合、コマンドの宛て先はパネルサブユニットと規定されている。図７では制御情報入力手段１１０８がパネルサブユニットのコマンド受信機能を表す。また、パネルサブユニットはノード内に唯一つしか存在できないことになっているので、ｓｕｂｕｎｉｔ　ＩＤは０となる。ｏｐｃｏｄｅフィールドは実行される操作や取得される状態を定義する。ｏｐｅｒａｎｄ［ｘ］フィールドは各種パラメータを指定する。パラメータの内容は、ｃｔｙｐｅフィールド、ｏｐｃｏｄｅフィールド、ｏｐｅｒａｎｄ［ｘ］フィールドなどにより決まる。
なお、ＩＥＥＥ１３９４のパケットは４バイト単位で構成される。このため、最後のｏｐｅｒａｎｄ［ｘ］フィールドまで含めたＦＣＰフレームが４の倍数バイトになっていない場合には、末尾に００ｈを付加して（０パディング）、４の倍数バイトにする。
図８（ｂ）はパススルーコマンドの内容を示す図である。
ｏｐｃｏｄｅフィールドに続いて、ｓｔａｔｅ　ｆｌａｇフィールド（１ビット）、ｏｐｅｒａｔｉｏｎ　ｉｄフィールド（７ビット）、ｏｐｅｒａｔｉｏｎ　ｄａｔａ　ｆｉｅｌｄ　ｌｅｎｇｔｈフィールド、ｏｐｅｒａｔｉｏｎ　ｄａｔａフィールドがある。
ｓｔａｔｅ　ｆｌａｇフィールドはリモコンで釦が押された、離された、のような状態を示す。ｏｐｅｒａｔｉｏｎ　ｉｄフィールドは、被制御装置が行うべき動作を指定する。指定する動作の代表的なものとしては、ＧＵＩ（グラフィカルユーザインターフェイス）操作、メニュー操作、機器動作指定、数字指定などがある。ＧＵＩ操作は、たとえば、カーソルの移動（４方向の矢印キー）や現在カーソルがある位置の選択などである。メニュー操作は基本メニュー、コンテンツメニュー、設定メニューなどであり、機器動作指定は再生、停止、一時停止などである。ｏｐｅｒａｔｉｏｎ　ｄａｔａ　ｆｉｅｌｄ　ｌｅｎｇｔｈフィールドはｏｐｅｒａｔｉｏｎ　ｄａｔａフィールドのバイト数を示す。ｏｐｅｒａｔｉｏｎ　ｄａｔａフィールドが存在しない場合は０である。ｏｐｅｒａｔｉｏｎ　ｄａｔａフィールドはｏｐｅｒａｔｉｏｎ　ｉｄフィールドの内容に応じて必要になる付属データがある場合、それを格納するフィールドである。
以下、図７の構成で図８の制御情報伝送パケットを用いた機器制御を行う場合の手順について説明する。
たとえば、ＤＶＤのコンテンツ選択用サブピクチャに７つのタイトル情報が格納されており、これが、図９のようにメディア再生手段１１０９から表示情報発生手段１１１０に送られる。送られたタイトル情報は制御情報入力手段１１０８からの制御情報（カーソル上方移動制御情報、カーソル下方移動制御情報など）に応じて順次反転表示される。希望のタイトルが反転表示された状態で制御情報（選択制御情報）が入力されると、タイトル情報の表示は終了し、メディア再生手段１１０９では、選択に応じたコンテンツの再生が開始される。表示情報発生手段１１１０は、以上のようなコンテンツ選択操作の間、タイトル情報（カーソル移動に応じた反転表示も含む）を映像信号線１１０５に出力し続ける。したがって制御装置１１０２の表示手段１１０７は図９のような画面をユーザに対して表示する。
しかしながら、上記従来の方法では、被制御機器内に複数の制御対象（機能単位）がある場合、制御装置はどの機能単位を制御するのか指定することができないという問題点を有する。
すなわち、たとえば、図７でメディア再生手段が２つあるとした場合、図８のパススルーコマンドの宛て先はパネルサブユニットであり、どちらのメディア再生手段を制御するのか指定することはできない。
発明の開示
本発明は上記従来の問題点を解決するもので、被制御機器内の複数の制御対象のうちの一つを指定することができる被制御装置ならびに制御装置およびその制御方法を提供することを目的とする。
これらの本発明の目的を達成するため、本発明の請求項１記載の被制御装置は、複数の機能単位を内蔵し、ネットワークのディジタルインターフェイスを介して制御装置に接続して使用される被制御装置であって、制御対象の機能単位を前記制御装置からの指示で選択して選択内容を記憶するとともに前記制御装置から制御対象を指定する情報なしの制御コマンドを受信したことを検出して前記記憶された機能単位を制御対象とする選択手段を設けたことを特徴とする。
本発明の請求項２記載の被制御装置は、請求項１において、選択手段を、制御対象としての機能単位が未定である状態において制御対象の機能単位を前記制御装置からの指示で選択して選択内容を記憶するよう構成したことを特徴とする。
本発明の請求項３記載の被制御装置は、請求項１において、選択手段を、制御対象としての機能単位が未定である状態において何れの機能単位が制御対象かを指定する情報なしの制御コマンドを受信したことを検出して、初期値として記憶している機能単位を制御対象とする。
本発明の請求項４記載の制御装置は、複数の機能単位を内蔵した被制御装置にネットワークのディジタルインターフェイスを介して接続して使用される制御装置であって、制御対象とする機能単位を使用者に選択させ、選択結果を前記被制御装置に記憶させ、前記被制御装置の何れの機能単位が制御対象かを指定する情報なしの制御コマンドを送信する選択手段を設けたことを特徴とする。
本発明の請求項５記載の被制御装置は、複数の機能単位を内蔵し、ネットワークのディジタルインターフェイスを介して請求項４に記載の制御装置に接続して使用される被制御装置であって、前記制御装置が送信する制御対象とする機能単位選択結果を記憶し、何れの機能単位が制御対象かを指定する情報なしの制御コマンドを受信したことを検出して前記選択された機能単位を制御対象とする分配手段を設けたことを特徴とする。
本発明の請求項６記載の被制御装置は、複数の機能単位を内蔵し、ネットワークのディジタルインターフェイスを介して制御装置に接続して使用される被制御装置であって、制御対象の機能単位を選択して選択内容を記憶して選択された機能単位の出力信号を出力する切替手段と、前記制御装置からの指示を前記複数の機能単位に振り分けるとともに何れの機能単位が制御対象かを指定する情報なしの制御コマンドを受信したことを検出して前記切替手段が出力を行っている機能単位に受信したコマンドを作用させる分配手段とを設けたことを特徴とする。
発明を実施するための最良の形態
以下、本発明の各実施の形態を図１と図５に基づいて説明する。
（実施の形態１）
図１と図２は（実施の形態１）を示す。
なお、インターフェイスはＩＥＥＥ１３９４、パススルーコマンドを使用するものとする。
１０１はユーザインターフェイスで、たとえば機器のコントロールパネルやリモコンなどである。１０２は制御装置、１０３は被制御装置、１０４は制御装置１０２と被制御装置１０３を接続するＩＥＥＥ１３９４バス、１０５は被制御装置１０３からの映像信号を制御装置１０２に伝える映像信号線である。具体的には、テレビジョン受像機とこれにネットワークを介して接続されたＤＶＤ再生装置を挙げることができ、この場合、テレビジョン受像機が制御装置、ＤＶＤ再生装置が被制御装置であって、テレビジョン受像機に付属しているリモートコントロール子機がユーザーインターフェースに相当する。
制御装置１０２は、ユーザインターフェイス１０１からの信号に応じてＩＥＥＥ１３９４バス１０４に制御情報を流す制御情報送出手段１０６と、制御情報送出手段１０６と被制御装置１０３との一方または両方からの映像信号を表示する表示手段１０７で構成される。すなわち、制御情報送出手段１０６からの情報は、ユーザインターフェイス１０１などからの制御に応じて、文字やＧＵＩとして被制御装置１０３からの映像信号に重畳表示されてもよい。また、制御情報送出手段１０６の出力あるいは被制御装置１０３の出力のどちらか一方だけを表示してもよい。
被制御装置１０３は、ＩＥＥＥ１３９４バスからの制御情報を入力する制御情報入力手段１０８と、制御情報入力手段１０８からの制御情報の作用先を使用者に選択させるためのユーザインターフェイス用信号を生成するとともに、使用者の選択結果に応じて制御情報をそれぞれの機能単位に割り当てる選択手段１０９と、選択手段１０９からの制御に応じてメディアを再生する第１のメディア再生手段１１０と、選択手段１０９からの制御に応じてメディアを再生する第２のメディア再生手段１１１と、第１，第２のメディア再生手段１１０，１１１からの再生信号に選択手段１０９からの選択情報、制御情報入力手段１０８からの制御情報に応じた表示を重畳する表示情報発生手段１１２とから構成される。
メディア情報再生手段としては、たとえばＤＶＤドライブが挙げられる。本実施の形態ではメディア再生手段が機能単位となる。
なお、現在ＤＶＤの映像信号はＩＥＥＥ１３９４に出力する方式が未定のため、本実施形態ではＩＥＥＥ１３９４とは別に映像信号線１０５を用いているが、ＩＥＥＥ１３９４のＤＶＤ映像信号フォーマットが決定すれば、ＩＥＥＥ１３９４で伝送してもかまわない。
以下、図１の構成で機器制御を行う場合の手順について説明する。
まず、バスの初期設定から、使用者が制御対象の機器（ユニット）を選択するまでの手順を述べる。
ＩＥＥＥ１３９４バスでは、バスに機器が接続された場合、初期処理として、自動的にそれぞれの接続されている機器（ユニット）にノードＩＤの割り振りが行われる。初期処理が終了すると、コントローラとして他の機器を制御する機器は、バスに接続されている機器の識別を行う。
すなわち、制御装置１０２は、制御情報送出手段１０６を用いてＡＶ／Ｃジェネラルで定義されているＵＮＩＴ　ＩＮＦＯコマンドを発行する。このコマンドに応じて、バスに接続されている機器は、その機器に内蔵されている機能単位（ｓｕｂｕｎｉｔ　ｔｙｐｅ）のうちから、予め決められている代表的な機能単位（ｓｕｂｕｎｉｔ　ｔｙｐｅ）１つを制御装置１０２に返す。また、ＳＵＢＵＮＩＴ　ＩＮＦＯコマンドを用いると、ユニット内のすべてのサブユニットとその数が返る。さらに、制御装置１０２は、それぞれのユニットのコンフィグレーションＲＯＭ（図示せず）を読むことで、機器の製造メーカなども知ることができる。
制御装置１０２は表示手段１０７を用いて、これらの情報を情報を使用者に提示し、使用者はユーザインターフェイス１０１を用いて制御するユニットを選択する。ここでは使用者は被制御機器１０３を選択したものとする。
また、使用者は、被制御機器１０３がパネルサブユニットを持つことがわかるので、被制御機器１０３の映像信号を表示手段１０７で表示するように制御装置１０２を設定する。この（実施の形態１）の場合には映像信号線１０５によって映像信号が入力されているので、使用者は、ユーザインターフェイス１０１の映像切替機能などを用いて表示手段１０７の入力を切り替える。
また、被制御装置１０３がパネルサブユニットを持つことが分かったら、表示手段１０７の入力を映像信号線１０５とするよう自動切り替えしてもよい。同じメーカーの機器を接続する場合であれば、取り扱い説明書などで推奨配線を示し、その通りに配線されているとして自動切り替えを実行すれば使用者の負担を軽減できる。
つぎに、選択手段１０９が制御対象となる制御単位を選択する手順について述べる。
被制御装置１０３は、初期画面として、選択手段１０９が生成する図２（ａ）のような第１，第２のメディア再生手段１１０，１１１の選択画面を生成するための情報を出力する。この画面情報は、表示情報発生手段１１２を介して表示手段１０７で図２（ａ）のように表示される。
この図２（ａ）では「ＤＶＤ　Ａ」が反転表示されており、これにより第１のメディア再生手段１１０が選択されていることを示す。使用者は、ユーザインターフェイス１０１を操作し、制御情報送出手段１０６は使用者の操作に応じたパススルーコマンドを発行する。
具体的には、制御情報送出手段１０６は「上矢印」「下矢印」に対応するｏｐｅｒａｔｉｏｎ　ｉｄのパススルーコマンドを発行する。このパススルーコマンドを受けた制御情報入力手段１０８は選択手段１０９に制御情報を転送し、選択手段１０９は、これに応じてＧＵＩ操作を行い、選択画面の反転表示を移動させる。使用者の操作によって制御情報送出手段１０６が「決定」に対応するｏｐｅｒａｔｉｏｎ　ＩＤのパススルーコマンドを発行すると、選択手段１０９ではそのとき反転表示していた第１，第２のメディア再生手段１１０，１１１のどちらか一方を制御対象として記憶する。以上により、被制御手段１０３の中の制御対象が決定される。
この後、選択された第１，第２のメディア再生手段１１０，１１１のどちらかは、従来例で説明した図９のようなコンテンツ選択のための画面情報を出力する。この画面情報は表示情報発生手段１１２を介して表示手段１０７で図９のように表示される。
使用者は、ユーザインターフェイス１０１を操作してコンテンツを選択するが、制御情報送出手段１０６が発行するパススルーコマンドの制御情報は、選択手段１０９に記憶されている第１，第２のメディア再生手段１１０，１１１のどちらか一方に転送され、コンテンツ選択のための画面情報更新やコンテンツの選択が行われる。
また、パススルーコマンドは、ＧＵＩ操作の他にも機器動作指定が可能である。コンテンツが選択され再生状態になっている場合に、停止、一時停止などの機器動作指定のｏｐｅｒａｔｉｏｎ　ｉｄのパススルーコマンドが被制御装置１０３に送られてきた場合、選択手段１０９はＧＵＩ操作と同様に選択手段１０９に記憶されている第１，第２のメディア再生手段１１０，１１１のどちらか一方に転送され、メディア再生動作を制御する。
なお、メディア再生手段の選択が終了していない段階で機器動作指定のｏｐｅｒａｔｉｏｎ　ｉｄのパススルーコマンドが被制御装置１０３に送られてきた場合、機器に初期設定値として予め記憶させてあるメディア再生手段を制御対象として選択してもよい。
また、機器に初期設定値として予め記憶させてあるメディア再生手段にメディアが挿入されていない場合には、他のメディア再生手段にメディアが挿入されているかどうか調べ、挿入されている場合にはそちらを制御対象として選択してもよい。このようにして選択されたメディア再生手段は、選択手段１０９に記憶され、以後の制御対象とされる。
また、メニュー操作のｏｐｅｒａｔｉｏｎ　ｉｄ（たとえばＰａｎｅｌ　Ｓｕｂｕｎｉｔ規格で定義されているｓｅｔｕｐ　ｍｅｎｕ）のパススルーコマンドが被制御装置１０３に送られてきた場合、図２（ａ）のメディア再生手段選択画面を表示するようにしておくことにより、いつでも制御対象の機能単位を変更することができる。
このように構成することによって、制御対象の機能単位が確定した後も制御対象の再選択をすることができる。
また、図２（ａ）では制御対象機能単位だけを選択する画面であったが、図２（ｂ）のように制御対象機能単位とそのコンテンツを同時に示すようにしてもよい。この場合、使用者は機能単位を選択してもよいし、コンテンツを選択してもよい。コンテンツを選択した場合には、このコンテンツが属している方の機能単位が選択され、制御装置１０２から被制御装置１０３に、「決定」に対応するｏｐｅｒａｔｉｏｎ　ＩＤのパススルーコマンドが発行され、機能単位の選択情報とコンテンツ再生が行われる。
また、本実施の形態では、ディジタルインターフェースをＩＥＥＥ１３９４としたが、これ以外のディジタルインターフェースを用いても構わない。例えば、ブルートゥースを用いた機器制御にも応用が可能である。
このように（実施の形態１）によれば、被制御装置１０３は使用者に表示手段を用いて制御対象とする機能単位を選択させる選択手段１０９を持ち、使用者に制御対象を選択させ、この結果を記憶しておくので、被制御装置内の実際に動作を行う機能単位を指定しないコマンドを使用しながら、使用者の意図通りの機能単位にコマンドを作用させることができるという効果が得られる。
（実施の形態２）
図３は本発明の（実施の形態２）を示し、図１と同様のものは同じ番号を付けて説明する。
なおインターフェイスはＩＥＥＥ１３９４、機器制御にはパススルーコマンドを使用するものとする。
１０１はユーザインターフェイスで、たとえばリモコンや機器のコントロールパネルなどである。１０２は制御装置、１０３は被制御装置、１０４は制御装置１０２と被制御装置１０３を接続するＩＥＥＥ１３９４バス、１０５は被制御装置１０３からの映像信号を制御装置１０２に伝える映像信号線である。
制御装置１０２は、ユーザインターフェイス１０１および選択手段３１３からの信号に応じてＩＥＥＥ１３９４バス１０４に制御情報を流す制御情報送出手段１０６と、ユーザインターフェイス１０１や制御情報送出手段１０６と情報をやりとりし、その結果を表示手段１０７へ出力する選択手段３１３と、被制御装置１０３や選択手段３１３からの映像信号、さらに選択手段３１３から映像信号を表示する表示手段１０７で構成される。
すなわち、制御情報送出手段１０６からの情報は、ユーザインターフェイス１０１などからの制御に応じて、文字やＧＵＩとして被制御装置１０３からの映像信号に重畳表示されてもよい。また、制御情報送出手段１０６の出力あるいは被制御装置１０３の出力のどちらか一方だけを表示してもよい。
被制御装置１０３は、ＩＥＥＥ１３９４バスからの制御情報を入力する制御情報入力手段１０８と、制御情報入力手段１０８からの入力される使用者の選択結果に応じて制御情報をそれぞれの機能単位に割り当てる分配手段３０９と、分配手段３０９からの制御に応じてメディアを再生する第１のメディア再生手段１１０と、分配手段３０９からの制御に応じてメディアを再生する第２のメディア再生手段１１１と、第１，第２のメディア再生手段１１０，１１１からの再生信号に分配手段３０９からの選択情報、制御情報入力手段１０８からの制御情報に応じた表示を重畳する表示情報発生手段１１２とから構成される。メディア情報再生手段としては、たとえばＤＶＤドライブが挙げられる。
なお、現在ＤＶＤの映像信号はＩＥＥＥ１３９４に出力する方式が未定のため、本実施形態ではＩＥＥＥ１３９４とは別に映像信号線１０５を用いているが、ＩＥＥＥ１３９４のＤＶＤ映像信号フォーマットが決定すれば、ＩＥＥＥ１３９４で伝送してもかまわない。
以下、図３の構成で機器制御を行う場合の手順について説明する。
バスの初期設定から、使用者が制御対象の機器（ユニット）を選択するまでの手順は、（実施の形態１）と同様である。
つぎに、選択手段３１３が制御対象となる制御単位を選択する手順について述べる。
（実施の形態１）で説明したように、制御装置１０２は、ユニットのコンフィグレーションＲＯＭ（図示せず）を読むことで、機器の製造メーカを知ることができる。さらに、機器によってはＥＵＩ（Ｅｘｔｅｎｄｅｄ　Ｕｎｉｑｕｅ　Ｉｄｅｎｔｉｆｉｅｒ）６４と呼ばれる、機器を全世界で一意に識別可能な６４ビットの識別子も読むことができる。ＥＵＩ６４は、上位２４ビットはＩＥＥＥがメーカごとに割り振る会社識別子であり、下位４０ビットはその会社が一意性を保証する独自コードである。
したがって、制御装置１０２は、あらかじめ、被制御装置１０３の構成をとる機器のＥＵＩ６４を記憶させておき、それらと被制御機器１０３から読みとったＥＵＩ６４の値とを比較することによって、いま制御対象としたユニットが被制御装置１０３の構成かどうかを知ることができる。
制御対象としたユニットが被制御装置１０３の構成であることが判明した場合、選択手段３１３は、初期画面として、図２（ａ）のような第１，第２のメディア再生手段１１０，１１１の選択画面を生成するための情報を出力する。この画面情報は、表示手段１０７で図２（ａ）のように表示される。
図２（ａ）では「ＤＶＤ　Ａ」が反転表示されており、これにより第１のメディア再生手段１１０が選択されていることを示す。使用者は、ユーザインターフェイス１０１を操作する。制御装置１０２は、現在表示している画面が自分自身が生成した画面であるから、ユーザインターフェイス１０１の操作は自分自身に向けられたものと判断して、パススルーコマンドは発行しない。選択手段３１３は「上矢印」「下矢印」などの操作に応じて、選択画面の反転表示を移動させる。使用者の操作によって「決定」が選択されると、選択手段３１３ではそのとき反転表示していた第１，第２のメディア再生手段１１０，１１１のどちらか一方を制御対象として記憶する。そして、その決定結果は制御情報出力手段１０６からＩＥＥＥ１３９４バス１０４、制御情報入力手段１０８を介して分配手段３０９に送られ記憶される。これにより、制御対象とする機能単位が決定されるので、以後、表示手段１０７の表示は被制御手段１０３からの映像信号を表示するようになる。また、ユーザインターフェイス１０１の操作も、パススルーコマンドとして制御情報送出手段１０６から被制御装置１０３へ発行されるようになる。以上により、被制御手段１０３の中の制御対象が決定される。
この後、選択された第１，第２のメディア再生手段１１０，１１１のどちらかは、従来例で説明した図９のようなコンテンツ選択のための画面情報を出力する。この画面情報は、表示情報発生手段１１２を介して、表示手段１０７で図９のように表示される。使用者は、ユーザインターフェイス１０１を操作してコンテンツを選択するが、制御情報送出手段１０６が発行するパススルーコマンドの制御情報は、分配手段３０９に記憶されている情報に応じて、第１，第２のメディア再生手段１１０，１１１のどちらか一方に転送され、コンテンツ選択のための画面情報更新やコンテンツの選択が行われる。
また、パススルーコマンドは、ＧＵＩ操作の他にも、機器動作指定が可能である。コンテンツが選択され再生状態になっている場合に、停止、一時停止などの機器動作指定のｏｐｅｒａｔｉｏｎ　ｉｄのパススルーコマンドが被制御装置１０３に送られてきた場合、分配手段３０９はＧＵＩ操作と同様に分配手段３０９に記憶されている第１，第２のメディア再生手段１１０，１１１のどちらか一方に転送され、メディア再生動作を制御する。
なお、メディア再生手段の選択が終了していない段階で機器動作指定のｏｐｅｒａｔｉｏｎ　ｉｄのパススルーコマンドが被制御装置１０３に送られてきた場合、機器に初期設定値として予め記憶させてあるメディア再生手段を制御対象として選択してもよい。
また、機器に初期設定値として予め記憶させてあるメディア再生手段にメディアが挿入されていない場合には、他のメディア再生手段にメディアが挿入されているか調べ、挿入されている場合にはそちらを制御対象として選択してもよい。このようにして選択されたメディア再生手段も、分配手段３０９に記憶され、以後の制御対象とされる。
また、ユーザインターフェイス１０１のメニュー操作のｓｅｔｕｐ　ｍｅｎｕｅが操作きれた場合、制御装置１０２は再び、図２（ａ）のメディア再生手段選択画面を表示するようにしておくことにより、いつでも制御対象の機能単位を変更することができる。
また、本実施の形態では、ディジタルインターフェースをＩＥＥＥ１３９４としたが、これ以外のディジタルインターフェースを用いても構わない。例えば、ブルートゥースを用いた機器制御にも応用が可能である。
このように（実施の形態２）によれば、制御装置は使用者に表示手段を用いて制御対象とする機能単位を選択させる選択手段を持ち、使用者に制御対象を選択させ、この結果を被制御装置に記憶させるので、被制御装置内の実際に動作を行う機能単位を指定しないコマンドを使用しながら、使用者の意図通りの機能単位にコマンドを作用させることができるという効果が得られる。
（実施の形態３）
図４と図５は本発明の（実施の形態３）を示し、図１と同様のものは同じ番号を付けて説明する。
なおインターフェイスはＩＥＥＥ１３９４、機器制御にはパススルーコマンドを使用するものとする。
１０１はユーザインターフェイスで、たとえばリモコンや機器のコントロールパネルなどである。１０２は制御装置、１０３は被制御装置、１０４は制御装置１０２と被制御装置１０３を接続するＩＥＥＥ１３９４バス、１０５は被制御装置１０３からの映像信号を制御装置１０２に伝える映像信号線である。
制御装置１０２は、ユーザインターフェイス１０１からの信号に応じてＩＥＥＥ１３９４バス１０４に制御情報を流す制御情報送出手段１０６と、被制御装置１０３からの映像信号や制御情報送出手段１０６から映像信号を表示する表示手段１０７で構成される。制御情報送出手段１０６からの情報は、ユーザインターフェイス１０１などからの制御に応じて、文字やＧＵＩとして被制御装置１０３からの映像信号に重畳されてもよいし、どちらか一方に切り替えられてもよい。
被制御装置１０３は、ＩＥＥＥ１３９４バスからの制御情報を入力する制御情報入力手段１０８と、制御情報入力手段１０８からの入力される制御情報を切替手段４１４からの制御情報に応じて、それぞれの機能単位に割り当てる分配手段と、分配手段４０９からの制御に応じてメディアを再生する第１のメディア再生手段１１０と、分配手段４０９からの制御に応じてメディアを再生する第２のメディア再生手段１１１と、第１，第２のメディア再生手段１１０，１１１からの再生信号を制御情報入力手段１０８からの制御情報に応じて切り替える切替手段４１４と、切替手段４１４からの信号を映像信号として出力する表示情報発生手段１１２とから構成される。メディア情報再生手段としては、たとえばＤＶＤドライブが挙げられる。
なお、現在ＤＶＤの映像信号は、ＩＥＥＥ１３９４に出力する方式が未定のため、本実施形態ではＩＥＥＥ１３９４とは別に映像信号線１０５を用いているが、ＩＥＥＥ１３９４のＤＶＤ映像信号フォーマットが決定すれば、ＩＥＥＥ１３９４で伝送してもかまわない。
以下、図４の構成で機器制御を行う場合の手順について説明する。
バスの初期設定から、使用者が制御対象の機器（ユニット）を選択するまでの手順は、（実施の形態１）と同様である。
つぎに、切替手段４１４が第１，第２のメディア再生手段１１０，１１１の出力信号を切り替える手順について説明する。
被制御装置１０３の電源投入直後は、切替手段４１４は初期設定値である出力信号を選択している。初期設定値は第１，第２のメディア再生手段のどちらかに決められていてもよいし、前回使用したメディア再生手段を記憶していて、それを選択してもよい。
制御装置１０２から、被制御装置１０３の出力を第１，第２のメディア再生手段に切り替えるときには、制御装置１０２からＣＯＮＮＥＲＣコマンドを発行する。ＣＯＮＮＥＲＣコマンドは、サブユニット、ユニットのプラグの接続を制御するコマンドとして、ＡＶ／Ｃジェネラルで定義されている。ここで、プラグとはＩＥＥＥ１３９４で定義された仮想的な信号のターミナルのことである。第１，第２のメディア再生手段１１０，１１１は、それぞれ、ソースプラグを１つづつ持っており、ここから信号を出力するものとする。また、被制御装置１０３は外部出力プラグを一つもっており、ここから外部へ映像信号を出力するものとする。ＣＯＮＮＥＣＴコマンドのフォーマットを図５に示す。図５において、ｏｐｅｒａｎｄ［１］、［２］が信号源を、［３］、［４］が宛先を示す。ｓｏｕｒｃｅ＿ｓｕｂｕｎｉｔ＿ｔｙｐｅ、ｓｏｕｒｃｅ＿ｓｕｂｕｎｉｔ＿ＩＤフィールドの組み合わせで信号源のサブユニットを指定し、ｓｏｕｒｃｅ＿ｐｌｕｇフィールドでプラグの番号を指定する。同様にｄｅｓｔｉｎａｔｉｏｎ＿ｓｕｂｕｎｉｔ＿ｔｙｐｅ　ｄｅｓｔｉｎａｔｉｏｎ＿ｓｕｂｕｎｉｔ＿ＩＤフィールドの組み合わせで宛先のサブユニットを指定し、ｄｅｓｔｉｎａｔｉｏｎ＿ｐｌｕｇフィールドでプラグの番号を指定する。ｓｕｂｕｎｉｔ＿ｔｙｐｅフィールドが１Ｆの場合にはユニットを示し、ユニットのプラグ、すなわち外部出力プラグを指定することができる。ｏｐｅｒａｎｄ［０］の３Ｆは固定値（全ビット１）を示す。ｌｏｃｋフィールドが１の場合、被制御機器１０３はｏｐｅｒａｎｄ［１］〜［４］で指定されるプラグ間のストリームを切断するようなＣＯＮＮＥＣＴコマンドを拒絶する。
以上のように、ＣＯＮＮＥＣＴコマンドによって切替手段４１４で外部に出力する信号を第１，第２のメディア再生手段の信号を切り替えることができる。
切替手段４１４でどちらの信号が選択されているかの情報は、分配手段４０９に伝えられる。分配手段４０９では、選択されている信号を発生させているメディア再生手段を制御対象とする。
選択された第１のメディア再生手段１１０、または、第２のメディア再生手段１１１のどちらかは、従来例で説明した図９のようなコンテンツ選択のための画面情報を出力する。この画面情報は、表示情報発生手段１１２を介して、表示手段１０７で図９のように表示される。使用者は、ユーザインターフェイス１０１を操作してコンテンツを選択するが、制御情報送出手段１０６が発行するパススルーコマンドの制御情報は、分配手段４０９によって第１のメディア再生手段１１０、または、第２のメディア再生手段１１１のどちらか一方に転送され、コンテンツ選択のための画面情報更新やコンテンツの選択が行われる。
また、パススルーコマンドは、ＧＵＩ操作の他にも、機器動作指定が可能である。コンテンツが選択され再生状態になっている場合に、停止、一時停止などの機器動作指定のｏｐｅｒａｔｉｏｎ　ｉｄのパススルーコマンドが被制御装置１０３に送られてきた場合、分配手段４０９はＧＵＩ操作と同様に第１のメディア再生手段１１０、または、第２のメディア再生手段１１１のどちらか一方に転送され、メディア再生動作を制御する。
なお、本実施の形態では信号を出力する機能単位を制御対象としたが、記録機器の場合には信号を入力する機能単位を制御対象とすることも可能である。
また、被制御機器に初期設定値として予め記憶させてある信号を外部に出力するメディア再生手段にメディアが挿入されていない場合には、他のメディア再生手段にメディアが挿入されているか調べ、挿入されている場合にはそちらを制御対象として選択してもよい。
このように（実施の形態３）によれば、制御装置は使用者が信号源として選択した機能単位を制御対象とするので、被制御装置内の実際に動作を行う機能単位を指定しないコマンドを使用しながら、使用者の意図通りの機能単位にコマンドを作用させることができるという効果が得られる。
この（実施の形態３）では制御装置１０２からの指示で機能単位を選択したが、被制御装置１０３の側に切り替え選択手段が設けられている場合には、制御装置１０２からの指示によらずに被制御装置１０３の側の切り替え選択手段の指示で機能単位を選択するよう構成することもできる。
また、第１，第２のメディア再生手段１１０，１１１の再生出力は、切替手段４１４を介して制御装置１０２の側へ出力して表示するように構成したが、制御装置１０２とは別の装置へ切替手段４１４を介して出力するようにも構成できる。
また、本実施の形態では、ディジタルインターフェースをＴＥＥＥ１３９４としたが、これ以外のディジタルインターフェースを用いても構わない。例えば、ブルートゥースを用いた機器制御にも応用が可能である。
以上のように本発明によれば、被制御装置は使用者に制御対象とする機能単位を選択させる選択手段を持ち、使用者に制御対象を選択させ、この結果を記憶しておくので、被制御装置内の実際に動作を行う機能単位を指定しないコマンドを使用しながら、使用者の意図通りの機能単位にコマンドを作用させることができるという効果が得られる。
また、本発明によれば、制御装置は使用者に制御対象とする機能単位を選択させる選択手段を持ち、使用者に制御対象を選択させ、この結果を被制御装置に記憶させるので、被制御装置内の実際に動作を行う機能単位を指定しないコマンドを使用しながら、使用者の意図通りの機能単位にコマンドを作用させることができるという効果が得られる。
また、本発明によれば、制御装置は使用者が信号源として選択した機能単位を制御対象とするので、被制御装置内の実際に動作を行う機能単位を指定しないコマンドを使用しながら、使用者の意図通りの機能単位にコマンドを作用させることができるという効果が得られる。
【図面の簡単な説明】
図１は本発明の（実施の形態１）における制御機器および被制御機器の構成図
図２は（ａ）（実施の形態１）におけるメディア再生手段選択画面の一例を示す図と（ｂ）メディア再生手段選択画面の別の例を示す図
図３は本発明の（実施の形態２）における制御機器および被制御機器の構成図
図４は本発明の（実施の形態３）における制御機器および被制御機器の構成図
図５はコネクトコマンドの内容を示す図
図６はＩＥＥＥ１３９４バス上のパケット伝送タイミング図
図７はパススルーコマンドによる機器制御を行う場合の構成の一例を示すブロック図
図８は（ａ）制御情報送出手段１１０６が発行する制御情報のパケット構成図と（ｂ）パススルーコマンドの内容を示す図
図９はＤＶＤのコンテンツ選択用サブピクチャを示す図
【図１】
2002035881.tif 000003
【図２（ａ）】
2002035881.tif 000004
【図２（ｂ）】
2002035881.tif 000005
【図３】
2002035881.tif 000006
【図４】
2002035881.tif 000007
【図５】
2002035881.tif 000008
【図６】
2002035881.tif 000009
【図７】
2002035881.tif 000010
【図８（ａ）】
2002035881.tif 000011
【図８（ｂ）】
2002035881.tif 000012
【図９】
2002035881.tif 000013
【国際調査報告】
2002035881.tif 000014
2002035881.tif 000015